(57)【要約】【課題】  自動販売機で商品を購入している者や自動販売機の前に立ち止まった者が「ひったくり」の被害に遭うことを防止できる自動販売機を提供する。【解決手段】  発光ダイオード２４の点滅及び点滅速度変更によって自動販売機の前に立ち止まった者や自動販売機で商品を購入している者に対し盗難危険性を喚起して盗難に対する意識を高めることにより、これらの者がとりわけ警戒時間帯で「ひったくり」の被害に遭うことを防止する。【選択図】  図１
2007094483.tif 000002
【特許請求の範囲】
【請求項１】
自動販売機で商品を購入している者や自動販売機の前に立ち止まった者に対して光により盗難注意の喚起を行うための発光手段と、
現在時刻が警戒時間帯に該当するか否かを判別し警戒時間帯に該当する場合には該当しない場合よりも盗難注意の喚起が強く行えるように発光手段の発光制御を行う発光制御手段とを備える、
ことを特徴とする自動販売機。
【請求項２】
発光制御手段は、現在時刻が警戒時間帯に該当しない場合に発光手段を消灯させ、現在時刻が警戒時間帯に該当する場合に発光手段を点滅させる発光制御を行う、
ことを特徴とする請求項１に記載の自動販売機。
【請求項３】
発光制御手段は、現在時刻が警戒時間帯に該当しない場合に発光手段を所定速度で点滅させ、現在時刻が警戒時間帯に該当する場合に発光手段を前記所定速度よりも早い速度で点滅させる発光制御を行う、
ことを特徴とする請求項１に記載の自動販売機。
【請求項４】
発光制御手段は、自動販売機で商品購入が行われているか否かを判別する手段を含み、
発光制御手段は、現在時刻が警戒時間帯に該当しない場合に発光手段を所定速度で点滅させ、現在時刻が警戒時間帯に該当する場合に発光手段を前記所定速度よりも早い速度で点滅させ、商品購入が行われているときには現在時刻に拘わらず発光手段を警戒時間帯の点滅速度よりも早い速度で点滅させる発光制御を行う、
ことを特徴とする請求項１に記載の自動販売機。
【請求項５】
発光手段は、発光色が異なる少なくとも２つの発光素子を有し、
発光制御手段は、現在時刻が警戒時間帯に該当しない場合に所定色の発光素子を所定速度で点滅させ、現在時刻が警戒時間帯に該当する場合に前記所定色とは異なる色の発光素子を前記所定速度よりも早い速度で点滅させる発光制御を行う、
ことを特徴とする請求項１に記載の自動販売機。
【請求項６】
発光手段は、発光色が異なる３つの発光素子を有し、
発光制御手段は、自動販売機で商品購入が行われているか否かを判別する手段を含み、
発光制御手段は、現在時刻が警戒時間帯に該当しない場合に所定色の発光素子を所定速度で点滅させ、現在時刻が警戒時間帯に該当する場合に前記所定色とは異なる色の発光素子を前記所定速度よりも早い速度で点滅させ、商品購入が行われているときには現在時刻に拘わらず残りの色の発光素子を警戒時間帯の点滅速度よりも早い速度で点滅させる発光制御を行う、
ことを特徴とする請求項１に記載の自動販売機。
【請求項７】
発光制御手段は、現在月日に該当する日の入り時刻とその翌日の日の出時刻に基づいて警戒時間帯を決定する手段を含む、
ことを特徴とする請求項１〜６の何れか１項に記載の自動販売機。
【請求項８】
発光制御手段は、警戒時間帯の開始時刻と終了時刻を手動操作によって設定可能な手段と、設定された開始時刻と終了時刻に基づいて警戒時間帯を決定する手段を含む、
ことを特徴とする請求項１〜６の何れか１項に記載の自動販売機。
【発明の詳細な説明】
【技術分野】
【０００１】
本発明は、容器入り飲料等の商品を販売する自動販売機に関する。
【背景技術】
【０００２】
屋外設置の自動販売機は屋内設置の自動販売機に比べて盗難（貨幣や商品の盗み取り）の被害に遭い易いため、該盗難被害を防止するために大別して２つの手法が採用されている。バール等によってドアがこじ開けられることを防止するためのドア開放防止具を自動販売機に取り付ける手法がその１つであり、異常な振動や衝撃が加わった際に警報を発する装置を自動販売機に取り付ける手法が他の１つである。
【特許文献１】特開平５−３３４５４０号公報
【発明の開示】
【発明が解決しようとする課題】
【０００３】
ところで、最近では前記の盗難被害とは別に、屋外設置の自動販売機で商品を購入している者や自動販売機の前に立ち止まった者が「ひったくり」の被害に遭う問題も多発している。この「ひったくり」は自転車やバイク等に乗った者が通り掛けに前記の者から鞄やハンドバック等の持ち物を奪い取る行為であり、同行為は統計によれば日が暮れた後から深夜までの間に集中している。
【０００４】
本発明は前記事情に鑑みて創作されたもので、その目的とするところは、自動販売機で商品を購入している者や自動販売機の前に立ち止まった者が「ひったくり」の被害に遭うことを防止できる自動販売機を提供することにある。
【課題を解決するための手段】
【０００５】
前記目的を達成するため、本発明の自動販売機は、自動販売機で商品を購入している者や自動販売機の前に立ち止まった者に対して光により盗難注意の喚起を行うための発光手段と、現在時刻が警戒時間帯に該当するか否かを判別し警戒時間帯に該当する場合には該当しない場合よりも盗難注意の喚起が強く行えるように発光手段の発光制御を行う発光制御手段とを備える、ことをその特徴とする。
【０００６】
本発明によれば、発光手段の発光制御によって自動販売機の前に立ち止まった者や自動販売機で商品を購入している者に対し盗難危険性を喚起して盗難に対する意識を高めることにより、これらの者がとりわけ警戒時間帯で「ひったくり」の被害に遭うことを防止することができる。また、発光手段の発光制御は「ひったくり」を企んでいる者に対し不安感を与えてその欲望を萎えさせる効果も期待できるため、自動販売機で商品を購入している者や自動販売機の前に立ち止まった者を対象とした「ひったくり」の行為を未然に抑制することもできる。
【発明の効果】
【０００７】
本発明によれば、自動販売機で商品を購入している者や自動販売機の前に立ち止まった者が「ひったくり」の被害に遭うことを防止することができる。
【０００８】
本発明の前記目的とそれ以外の目的と、構成特徴と、作用効果は、以下の説明と添付図面によって明らかとなる。
【発明を実施するための最良の形態】
【０００９】
［第１実施形態］
図１〜図３は本発明の第１実施形態を示す。
【００１０】
図１は本発明を適用した自動販売機の正面図である。この自動販売機１０はキャビネット（図示省略）の前面開口にドア１１を開閉自在に有している。キャビネット内には、公知の自動販売機と同様に、商品を種別に収納するための複数のラックと、各ラックに収納された商品を１個ずつ選択的に搬出するための搬出機と、収納商品を冷却するための冷却機と、収納商品を加温するための加温機等が設けられている。
【００１１】
ドア１１の前面にはサンプル展示室の前面壁を構成する透明板１２が設けられ、該サンプル展示室には販売可能商品に対応した複数の商品サンプル１３が陳列されている。また、透明板１２の前面には複数の商品選択ボタン１４が各商品サンプル１３に対応して設けられている。さらに、ドア１１の前面には広告室の前面壁を構成する透明板１５が設けられ、該広告室にはポスター等の宣伝媒体が掲示されている。さらに、ドア１１の前面には、ドア用ロックの操作を行うための操作レバー１６と、硬貨投入口１７と、返却レバー１８と、紙幣投入口１９と、硬貨返却口２０と、投入金額等を表示するための表示パネル２１と、商品取出口２２が設けられている。さらに、ドア１１の裏面には前記の硬貨投入口１７及び紙幣投入口１８から投入された硬貨及び紙幣の真偽判定と保管と釣銭払い出し等を行うための金銭処理機と、商品販売に必要な諸動作を司るメインコントローラが設置されている。
【００１２】
さらに、ドア１１の前面の上部中央には透明保護板付きの孔２３が設けられ、その内側には発光ダイオード２４が配されている。尚、発光ダイオード２４の設置位置は、ドア１１前面の上部中央に限らず、例えばドア１１前面のサンプル展示室（透明板１２）の横位置やサンプル展示室の透明板１２等、購入者等の目に付きやすい位置であれば何処でも構わない。発光ダイオード２４には後述の「光による盗難注意の喚起」が適切に行えるように１ｃｄ（カンデラ）以上、好ましくは５ｃｄ（カンデラ）以上の高光度タイプのもの使用されている。発光ダイオード２４の発光色には特段の制限はなく、白，青，緑，赤，橙等が適宜使用できる。また、ドア１１の前面上部には発光ダイオード２４に隣接して、盗難注意の文字を記したステッカー２５が貼り付けられている。
【００１３】
図２は図１に示した発光ダイオード２４の発光制御回路の構成図である。この発光制御回路３０は、マイクロコンピュータ構成のコントローラ３１と、発光ダイオード用のドライバ３２とを有している。コントローラ３１はカレンダー機能付きのタイマ回路３１ａを内蔵しており、メモリには月日に対応した日の出時刻及び日の入り時刻が記憶されている。
【００１４】
図２中に示した操作信号１〜３は自動販売機のメインコントローラ（図示省略）から入手可能な商品購入操作に係る信号であり、これら操作信号１〜３は自動販売機のメインコントローラからコントローラ３１に入力される。具体的には、操作信号１は「硬貨投入口１７に硬貨が投入された際、或いは、紙幣投入口１９に紙幣が投入された際に出力される信号」、操作信号２は「商品選択ボタン１４が押された際に出力される信号」、操作信号３は「返却レバー１８が操作された際に出力される信号」である。
【００１５】
図３は発光制御回路３０による発光制御方法の一例を示すフローチャートである。まず、現在時刻が警戒時間帯に該当するか否かを判別する（ステップＳ１１）。ここでの警戒時間帯は「日の入り時刻から日の出時刻までの時間帯」を指すものであり、現在月日に該当する日の入り時刻とその翌日の日の出時刻をメモリから読み出して、現在時刻が読み出した日の入り時刻から日の出時刻までの時間帯に該当するか否かを判別する。
【００１６】
現在時刻が警戒時間帯に該当しない場合には、速度を低に設定し、発光ダイオード２４を低速度、例えば１回／２秒程度で点滅させる（ステップＳ１２，Ｓ１３）。一方、現在時刻が警戒時間帯に該当する場合には、速度を中に設定し、発光ダイオード２４を中速度、例えば１回／１秒程度で点滅させる（ステップＳ１４，Ｓ１５）。
【００１７】
現在時刻が警戒時間帯に該当しない場合、また、現在時刻が警戒時間帯に該当する場合で先に述べた操作信号１〜３の少なくとも１つがコントローラ３１に入力されたときには、つまり、自動販売機で商品購入が行われているときは、速度を高に設定し、発光ダイオード２４を高速度、例えば１回／０．５秒程度で点滅させる（ステップＳ１６〜Ｓ１８）。この高速度点滅は操作信号１〜３の少なくとも１つがコントローラ３１に入力されてから所定時間、例えば１分程度が経過した時点で終了させ、低速度点滅または中速度点滅に復帰させる。
【００１８】
このように第１実施形態の自動販売機によれば、購入者等の目に付きやすいドア１１の前面の上部中央に発光ダイオード２４及び盗難注意のステッカー２５を設け、現在時刻が警戒時間帯に該当しない場合には発光ダイオード２４を低速度で点滅させ、また、現在時刻が警戒時間帯に該当する場合には発光ダイオード２４を中速度で点滅させているので、現在時刻に拘わらず、発光ダイオード２４の点滅によって自動販売機の前に立ち止まった者に対し盗難の危険性があることを喚起することができる。また、現在時刻が警戒時間帯に該当する場合には警戒時間帯に該当しないときよりも早い中速度で発光ダイオード２４を点滅させているので、警戒時間帯で自動販売機の前に立ち止まった者に対する注意喚起を非警戒時間帯に比べて強く行うことができる。さらに、商品購入時には非購入時よりも早い高速度で発光ダイオード２４を点滅させているので、自動販売機で商品を購入している者に対する注意喚起を非購入時に比べてより強く行うことができる。
【００１９】
つまり、発光ダイオード２４の点滅及び点滅速度変更によって自動販売機の前に立ち止まった者や自動販売機で商品を購入している者に対し盗難危険性を喚起して盗難に対する意識を高めることにより、これらの者がとりわけ警戒時間帯で「ひったくり」の被害に遭うことを防止することができる。
【００２０】
また、発光ダイオード２４の点滅及び点滅速度変更は「ひったくり」を企んでいる者に対し不安感を与えてその欲望を萎えさせる効果も期待できるため、自動販売機で商品を購入している者や自動販売機の前に立ち止まった者を対象とした「ひったくり」の行為を未然に抑制することもできる。
【００２１】
さらに、前記の発光ダイオード２４及びその制御回路３０は既設置の自動販売機に簡単な加工と配線を行うだけで後付けすることができるので、自動販売機で商品を購入している者や自動販売機の前に立ち止まった者が「ひったくり」の被害に遭い易い既設置の自動販売機に対して前記同様の機能を付加して前記同様の作用効果を得ることができる。
【００２２】
尚、図３に示した発光制御方法では自動販売機で商品購入が行われているときに発光ダイオード２４を高速度で点滅させるようにしたが、図４に示す発光制御方法（ステップＳ２１〜Ｓ２５）のように、現在時刻が警戒時間帯に該当しない場合には発光ダイオード２４を低速度で点滅させ、一方、現在時刻が警戒時間帯に該当する場合には発光ダイオード２４を中速度で点滅させるようにしてもよい。また、図５に示す発光制御方法（ステップＳ３１〜Ｓ３４）のように、現在時刻が警戒時間帯に該当しない場合には発光ダイオード２４を消灯させ、一方、現在時刻が警戒時間帯に該当する場合には発光ダイオード２４を中速度で点滅させるようにしてもよい。
【００２３】
図４に示した発光制御方法では商品購入時における注意喚起が劣り、一方、図５に示した発光制御方法では現在時刻が警戒時間帯に該当しない場合と商品購入時における注意喚起が劣るものの、自動販売機の前に立ち止まった者や自動販売機で商品を購入している者がとりわけ警戒時間帯で「ひったくり」の被害に遭うことを防止できる点では図３に示した発光制御方法と同様の作用効果を得ることができる。
【００２４】
また、発光ダイオードは前述のような「光による盗難注意の喚起」を行うのに適した発光素子と言えるが、発光ダイオード以外のランプ等の発光素子を代わりに用いても前記同様の作用効果が得られることは言うまでもない。
【００２５】
さらに、現在月日に該当する日の入り時刻とその翌日の日の出時刻をメモリから読み出して該日の入り時刻から日の出時刻までの時間帯を警戒時間帯としたが、警戒時間帯の開始時刻と終了時刻を手動操作によって任意に設定可能な手段を設けて、設定された開始時刻と終了時刻に基づいて警戒時間帯を決定するようにしてもよい。
【００２６】
［第２実施形態］
図６及び図７は本発明の第２実施形態を示す。
【００２７】
本第２実施形態が第１実施形態と異なるところは、発光色が異なる３つの発光ダイオード２４-1〜２４-3を用いた点と、現在時刻等に応じて発光色と点滅速度を変更する発光制御方法を採用した点にある。
【００２８】
図示を省略したが自動販売機の構成は、３つの発光ダイオード２４-1〜２４-3がドア１１の前面の上部中央に並べて設けられた透明保護板付きの３つの孔の内側、或いは１つの孔の内側に配されている点を除き、図１に示した自動販売機と同じである。尚、発光ダイオード２４-1〜２４-3の設置位置は、ドア１１前面の上部中央に限らず、例えばドア１１前面のサンプル展示室（透明板１２）の横位置やサンプル展示室の透明板１２等、購入者等の目に付きやすい位置であれば何処でも構わない。ここでは発光ダイオード２４-1として白色発光のもの、発光ダイオード２４-2として黄色発光のもの、発光ダイオード２４-3として赤色発光のものがそれぞれ用いているが、他の発光色の組み合わせであってもよい。各発光ダイオード２４-1〜２４-3には後述の「光による盗難注意の喚起」が適切に行えるように１ｃｄ（カンデラ）以上、好ましくは５ｃｄ（カンデラ）以上の高光度タイプのものが使用されている。
【００２９】
図６は発光ダイオード２４-1〜２４-3の発光制御回路の構成図である。この発光制御回路４０は、マイクロコンピュータ構成のコントローラ４１と、発光ダイオード用のドライバ４２とを有している。コントローラ４１はカレンダー機能付きのタイマ回路４１ａを内蔵しており、メモリには月日に対応した日の出時刻及び日の入り時刻が記憶されている。図６中に示した操作信号１〜３は図２を引用して説明したものと同じである。
【００３０】
図７は発光制御回路４０による発光制御方法の一例を示すフローチャートである。まず、現在時刻が警戒時間帯に該当するか否かを判別する（ステップＳ４１）。ここでの警戒時間帯は「日の入り時刻から日の出時刻までの時間帯」を指すものであり、現在月日に該当する日の入り時刻とその翌日の日の出時刻をメモリから読み出して、現在時刻が読み出した日の入り時刻から日の出時刻までの時間帯に該当するか否かを判別する。
【００３１】
現在時刻が警戒時間帯に該当しない場合には、速度を低に設定し、白色の発光ダイオード２４-1を低速度、例えば１回／２秒程度で点滅させる（ステップＳ４２，Ｓ４３）。一方、現在時刻が警戒時間帯に該当する場合には、速度を中に設定し、黄色の発光ダイオード２４-2を中速度、例えば１回／１秒程度で点滅させる（ステップＳ４４，Ｓ４５）。
【００３２】
現在時刻が警戒時間帯に該当しない場合、また、現在時刻が警戒時間帯に該当する場合で先に述べた操作信号１〜３の少なくとも１つがコントローラ４１に入力されたときには、つまり、自動販売機で商品購入が行われているときは、速度を高に設定し、赤色の発光ダイオード２４-3を高速度、例えば１回／０．５秒程度で点滅させる（ステップＳ１６〜Ｓ１８）。この高速度点滅は操作信号１〜３の少なくとも１つがコントローラ４１に入力されてから所定時間、例えば１分程度が経過した時点で終了させ、低速度点滅または中速度点滅に復帰させる。
【００３３】
このように第２実施形態の自動販売機によれば、購入者等の目に付きやすいドア１１の前面の上部中央に発光ダイオード２４-1〜２４-3及び盗難注意のステッカー２５を設け、現在時刻が警戒時間帯に該当しない場合には白色の発光ダイオード２４-1を低速度で点滅させ、また、現在時刻が警戒時間帯に該当する場合には黄色の発光ダイオード２４-2を中速度で点滅させているので、現在時刻に拘わらず、発光ダイオード２４-1，２４-2の点滅によって自動販売機の前に立ち止まった者に対し盗難の危険性があることを喚起することができる。また、現在時刻が警戒時間帯に該当する場合には警戒時間帯に該当しないときよりも早い中速度で異なる色（黄色）の発光ダイオード２４-2を点滅させているので、警戒時間帯で自動販売機の前に立ち止まった者に対する注意喚起を非警戒時間帯に比べて強く行うことができる。さらに、商品購入時には非購入時よりも早い高速度で異なる色（赤色）の発光ダイオード２４-3を点滅させているので、自動販売機で商品を購入している者に対する注意喚起を非購入時に比べてより強く行うことができる。
【００３４】
つまり、発光ダイオード２４-1〜２４-3の点滅，点滅速度変更及び発光色変更によって自動販売機の前に立ち止まった者や自動販売機で商品を購入している者に対し盗難危険性を喚起して盗難に対する意識を高めるすることにより、これらの者がとりわけ警戒時間帯で「ひったくり」の被害に遭うことを防止することができる。
【００３５】
また、発光ダイオード２４-1〜２４-3の点滅，点滅速度変更及び発光色変更は「ひったくり」を企んでいる者に対し不安感を与えてその欲望を萎えさせる効果も期待できるため、自動販売機で商品を購入している者や自動販売機の前に立ち止まった者を対象とした「ひったくり」の行為を未然に抑制することもできる。
【００３６】
さらに、前記の発光ダイオード２４-1〜２４-3及びその制御回路４０は既設置の自動販売機に簡単な加工と配線を行うだけで後付けすることができるので、自動販売機で商品を購入している者や自動販売機の前に立ち止まった者が「ひったくり」の被害に遭い易い既設置の自動販売機に対して前記同様の機能を付加して前記同様の作用効果を得ることができる。
【００３７】
尚、図７に示した発光制御方法では自動販売機で商品購入が行われているときに赤色の発光ダイオード２４-3を高速度で点滅させるようにしたが、図８に示す発光制御方法（ステップＳ５１〜Ｓ５５）のように、現在時刻が警戒時間帯に該当しない場合には白色の発光ダイオード２４-1を低速度で点滅させ、一方、現在時刻が警戒時間帯に該当する場合には黄色の発光ダイオード２４-2（赤色の発光ダイオード２４-3でも可）を中速度で点滅させるようにしてもよい。また、図９に示す発光制御方法（ステップＳ６１〜Ｓ６４）のように、現在時刻が警戒時間帯に該当しない場合には発光ダイオード２４-2を消灯させ、一方、現在時刻が警戒時間帯に該当する場合には黄色の発光ダイオード２４-2（赤色の発光ダイオード２４-3でも可）を中速度で点滅させるようにしてもよい。
【００３８】
図８に示した発光制御方法では商品購入時における注意喚起が劣り、一方、図９に示した発光制御方法では現在時刻が警戒時間帯に該当しない場合と商品購入時における注意喚起が劣るものの、自動販売機の前に立ち止まった者や自動販売機で商品を購入している者がとりわけ警戒時間帯で「ひったくり」の被害に遭うことを防止できる点では図７に示した発光制御方法と同様の作用効果を得ることができる。
【００３９】
また、発光ダイオードは前述のような「光による盗難注意の喚起」を行うのに適した発光素子と言えるが、発光ダイオード以外のランプ等の発光素子を代わりに用いても前記同様の作用効果が得られることは言うまでもない。
【００４０】
さらに、現在月日に該当する日の入り時刻とその翌日の日の出時刻をメモリから読み出して該日の入り時刻から日の出時刻までの時間帯を警戒時間帯としたが、警戒時間帯の開始時刻と終了時刻を手動操作によって任意に設定可能な手段を設けて、設定された開始時刻と終了時刻に基づいて警戒時間帯を決定するようにしてもよい。
【図面の簡単な説明】
【００４１】
【図１】本発明の第１実施形態に係る自動販売機の正面図である。
【図２】本発明の第１実施形態に係る発光制御回路の構成図である。
【図３】本発明の第１実施形態に係る発光制御方法の一例を示すフローチャートである。
【図４】図３に示した発光制御方法の他の例を示すフローチャートである。
【図５】図３に示した発光制御方法のさらに他の例を示すフローチャートである。
【図６】本発明の第２実施形態に係る発光制御回路の構成図である。
【図７】本発明の第２実施形態に係る発光制御方法の一例を示すフローチャートである。
【図８】図７に示した発光制御方法の他の例を示すフローチャートである。
【図９】図７に示した発光制御方法のさらに他の例を示すフローチャートである。
【符号の説明】
【００４２】
１０…自動販売機、２４，２４-1，２４-2，２４-3…発光ダイオード、３０，４０…発光制御回路。
【図１】
2007094483.tif 000003
【図２】
2007094483.tif 000004
【図３】
2007094483.tif 000005
【図４】
2007094483.tif 000006
【図５】
2007094483.tif 000007
【図６】
2007094483.tif 000008
【図７】
2007094483.tif 000009
【図８】
2007094483.tif 000010
【図９】
2007094483.tif 000011